(57)【要約】  【構成】  カメラモードでイメージセンサ１４によって捉えられた被写界の主画像データは、ＳＤＲＡＭ２４の主画像エリア２４ｍに確保される。ＣＰＵ３０は、この主画像データの日付エリアに属する部分画像データを抽出し、日付を表すキャラクタデータを主画像データの日付エリアに書き込み、そして日付エリアの基準座標値を示す基準座標データを作成する。記録媒体３８には、部分画像データ，主画像データおよび基準座標データを含む画像ファイルが作成される。再生モードでは、まずキャラクタ付き主画像データが主画像エリア２４ｍに読み出され、このキャラクタ付き主画像データに基づく再生画像がＬＣＤモニタ２８に表示される。日付消去操作が行われると、部分画像データが主画像データの日付エリアに合成され、再生画像から日付が消去される。  【効果】  画像の総量を抑制でき、特別な機能なしで上書き画像を再生でき、さらに元画像を容易に復元できる。【選択図】  図１
2005333186.tif 000002
【特許請求の範囲】
【請求項１】
被写界を捉える撮像手段、
前記撮像手段によって捉えられた被写界像の所定部分から部分画像を抽出する抽出手段、
任意の画像が前記被写界像の前記所定部分に上書きされた上書き画像を前記抽出手段による抽出処理の後に作成する上書き手段、
前記所定部分の位置を特定できる位置特定情報を作成する作成手段、および
前記任意の画像を消去する消去操作を受け付けたとき前記位置特定情報に基づいて前記上書き画像の前記所定部分に前記部分画像を合成する合成手段を備える、ディジタルカメラ。
【請求項２】
前記部分画像および前記上書き画像のうち少なくとも前記上書き画像を圧縮する圧縮手段をさらに備える、請求項１記載のディジタルカメラ。
【請求項３】
前記圧縮手段は所定垂直サイズを有する画素ブロックを１単位として圧縮処理を行い、
前記所定部分の垂直サイズは前記所定垂直サイズの整数倍である、請求項２記載のディジタルカメラ。
【請求項４】
前記圧縮処理はＤＣＴ処理を含む、請求項２または３記載のディジタルカメラ。
【請求項５】
前記任意の画像は前記被写界像が捉えられた日時を示す日付情報を含む、請求項１ないし４のいずれかに記載のディジタルカメラ。
【請求項６】
前記部分画像，前記上書き画像および前記位置特定情報を含む画像ファイルを記録媒体に記録する記録手段、
前記記録媒体に記録された所望の画像ファイルを再生する再生手段、および
前記所望の画像ファイルが前記部分画像を含むとき前記消去操作を受け付ける受付手段をさらに備える、請求項１ないし５のいずれかに記載のディジタルカメラ。
【請求項７】
ディジタルカメラのプロセサによって実行される画像処理プログラムであって、
撮像手段によって捉えられた被写界像の所定部分から部分画像を抽出する抽出ステップ、
任意の画像が前記被写界像の前記所定部分に上書きされた上書き画像を前記抽出ステップによる抽出処理の後に作成する上書きステップ、
前記所定部分の位置を特定できる位置特定情報を作成する作成ステップ、および
前記任意の画像を消去する消去操作を受け付けたとき前記位置特定情報に基づいて前記上書き画像の前記所定部分に前記部分画像を合成する合成ステップを備える、画像処理プログラム。
【発明の詳細な説明】
【技術分野】
【０００１】
この発明は、ディジタルカメラに関し、特にたとえば、撮影画像に日付を埋め込む機能を有する、ディジタルカメラに関する。
【背景技術】
【０００２】
従来のこの種のディジタルカメラの一例が、特許文献１に開示されている。この従来技術によれば、撮影されたオリジナル画像と手書き入力画像とが別々に記録媒体に記録される。これによって、オリジナル画像に手書き入力画像が上書きされた上書き画像、およびオリジナル画像のいずれか一方を選択的に再生することができる。
【特許文献１】特許第３１７７４７４号公報［Ｈ０４Ｎ  ５／９１，５／２２５，５／７６５，５／７８１］
【発明の開示】
【発明が解決しようとする課題】
【０００３】
しかし、従来技術では、オリジナル画像および手書き入力画像が別々に記録媒体に記録されるため、上書き機能を有しないディジタルカメラでは上書き画像を再生できない。一方、オリジナル画像とは別に上書き画像を作成するようにすると、上書き機能を有しないディジタルカメラでも上書き画像を再生できるが、画像の総量が増大するという問題が生じる。さらに、上書き画像のみを記録するようにすると、画像の総量を抑えることができるが、オリジナル画像を復元することができない。
【０００４】
それゆえに、この発明の主たる目的は、画像の総量を抑えることができ、上書き画像を再生でき、そしてオリジナル画像を容易に復元することができる、ディジタルカメラを提供することである。
【課題を解決するための手段】
【０００５】
請求項１の発明に従うディジタルカメラは、被写界を捉える撮像手段、撮像手段によって捉えられた被写界像の所定部分から部分画像を抽出する抽出手段、任意の画像が被写界像の所定部分に上書きされた上書き画像を抽出手段による抽出処理の後に作成する上書き手段、所定部分の位置を特定できる位置特定情報を作成する作成手段、および任意の画像を消去する消去操作を受け付けたとき位置特定情報に基づいて上書き画像の所定部分に部分画像を合成する合成手段を備える。
【０００６】
抽出手段は、撮像手段によって捉えられた被写界像の所定部分から部分画像を抽出する。上書き手段は、任意の画像が被写界像の所定部分に上書きされた上書き画像を、抽出手段による抽出処理の後に作成する。作成手段は、所定部分の位置を特定できる位置特定情報を作成する。合成手段は、任意の画像を消去する消去操作を受け付けたとき、位置特定情報に基づいて上書き画像の所定部分に部分画像を合成する。
【０００７】
部分画像を抽出することで、画像の総量を抑制できる。また、上書き画像を作成することで、特別な機能を準備することなく上書き画像を再生できる。さらに、部分画像を上書き画像に合成することで、オリジナル画像を復元できる。
【０００８】
請求項２の発明に従うディジタルカメラは、請求項１に従属し、部分画像および上書き画像のうち少なくとも上書き画像を圧縮する圧縮手段をさらに備える。圧縮処理によって画像の総量をさらに抑制できる。
【０００９】
請求項３の発明に従うディジタルカメラは、請求項２に従属し、圧縮手段は所定垂直サイズを有する画素ブロックを１単位として圧縮処理を行い、所定部分の垂直サイズは所定垂直サイズの整数倍である。これによって、上書き画像と部分画像との境界線が目立つのを防止できる。
【００１０】
請求項４の発明に従うディジタルカメラは、請求項２または３に従属し、圧縮処理はＤＣＴ処理を含む。
【００１１】
請求項５の発明に従うディジタルカメラは、請求項１ないし４のいずれかに従属し、任意の画像は被写界像が捉えられた日時を示す日付情報を含む。
【００１２】
請求項６の発明に従うディジタルカメラは、請求項１ないし５のいずれかに従属し、部分画像，上書き画像および位置特定情報を含む画像ファイルを記録媒体に記録する記録手段、記録媒体に記録された所望の画像ファイルを再生する再生手段、および所望の画像ファイルが部分画像を含むとき消去操作を受け付ける受付手段をさらに備える。
【００１３】
請求項７の発明に従う画像処理プログラムは、ディジタルカメラのプロセサによって実行される画像処理プログラムであって、撮像手段によって捉えられた被写界像の所定部分から部分画像を抽出する抽出ステップ、任意の画像が被写界像の所定部分に上書きされた上書き画像を抽出ステップによる抽出処理の後に作成する上書きステップ、所定部分の位置を特定できる位置特定情報を作成する作成ステップ、および任意の画像を消去する消去操作を受け付けたとき位置特定情報に基づいて上書き画像の所定部分に部分画像を合成する合成ステップを備える。
【発明の効果】
【００１４】
この発明によれば、部分画像を抽出することで、画像の総量を抑制できる。また、上書き画像を作成することで、特別な機能を準備することなく上書き画像を再生できる。さらに、部分画像を上書き画像に合成することで、オリジナル画像を復元できる。
【００１５】
この発明の上述の目的，その他の目的，特徴および利点は、図面を参照して行う以下の実施例の詳細な説明から一層明らかとなろう。
【発明を実施するための最良の形態】
【００１６】
図１を参照して、この実施例のディジタルカメラ１０は、光学レンズ１２を含む。被写界の光学像は、この光学レンズ１２を介してイメージセンサ１４の撮像面に照射される。撮像面では、光電変換によって、被写界像に対応する電荷つまり生画像信号が生成される。
【００１７】
キー入力装置４２によってカメラモードが選択されると、対応する状態信号がシステムコントローラ４０からＣＰＵ３０に与えられる。ＣＰＵ３０は、スルー画像処理を実行するべく、ＴＧ１８にプリ露光および間引き読み出しの繰り返しを命令し、かつ信号処理回  路２０およびビデオエンコーダ２６に処理命令を与える。
【００１８】
ＴＧ１８は、１／３０秒に１回の割合で発生する垂直同期信号に応答して、イメージセンサ１４にプリ露光を施し、かつこのプリ露光によって得られた生画像信号を間引き態様でイメージセンサ１４から読み出す。読み出された各フレームの生画像信号は、ＣＤＳ／ＡＧＣ／ＡＤ回路１６によって、ノイズ除去，ゲイン調整およびＡ／Ｄ変換の一連の処理を施される。これによって、ディジタル信号である生画像データが、１／３０秒に１フレームの割合でＣＤＳ／ＡＧＣ／ＡＤ回路１６から出力される。
【００１９】
信号処理回路２０は、かかる生画像データに色分離，白バランス調整，ＹＵＶ変換などの信号処理を施し、ＹＵＶ形式の画像データを出力する。出力された画像データは、メモリ制御回路２２を通してＳＤＲＡＭ２４に書き込まれる。
【００２０】
ビデオエンコーダ２６は、こうして１／３０秒毎にＳＤＲＡＭ２４に格納される画像データをメモリ制御回路２２を通してＳＤＲＡＭ２４から読み出し、読み出された画像データをＮＴＳＣ方式のコンポジットビデオ信号にエンコードする。エンコードされたコンポジットビデオ信号はＬＣＤモニタ２８に与えられ、これによって被写界のリアルタイム動画像つまりスルー画像が画面に表示される。
【００２１】
キー入力装置４２によって記録操作が行われると、対応する状態信号がシステムコントローラ４０からＣＰＵ３０に与えられる。ＣＰＵ３０は、１回の本露光および１回の全画素読み出しをＴＧ１８に命令する。ＴＧ１８は、イメージセンサ１８に本露光を施し、かつこの本露光によって得られた生画像信号を全画素読み出し態様でイメージセンサ１８から読み出す。読み出された高解像度の生画像信号は、上述と同じ要領でＹＵＶ形式の画像データに変換される。変換された高解像度の画像データつまり主画像データは、メモリ制御回路２２を通してＳＤＲＡＭ２４の主画像エリア２４ｍに書き込まれる。
【００２２】
主画像エリア２４ｍには、たとえば図２に示す主画像データＭＩＭが確保される。主画像データＭＩＭの下端には、日付エリアＤＴが割り当てられる。日付エリアＤＴの下側エッジは、主画像データＭＩＭの下側エッジと一致する。日付エリアＤＴのサイズおよび位置は、主画像データＭＩＭの解像度に依存する。主画像データＭＩＭの解像度がＶＧＡ（＝垂直６４０画素×水平４８０画素）であれば、日付エリアＤＴのサイズは垂直４８画素×水平４８０画素とされる。
【００２３】
なお、日付エリアＤＴの垂直サイズは、後述する圧縮処理がＪＰＥＧ方式に従って垂直８画素×水平８画素の画素ブロック単位で行われることを考慮したものである。つまり、日付エリアＤＴの垂直サイズは、画素ブロックの垂直サイズの整数倍とされる。
【００２４】
本露光に基づく主画像データが主画像エリア２４ｍに格納された後、ＣＰＵ３０は、メモリ制御回路２２を通してＳＤＲＡＭ２４にアクセスし、上述の日付エリアに対応する部分画像データを主画像エリア２４ｍから部分画像エリア２４ｐに複写する。複写が完了すると、この部分画像データに向けられた圧縮命令をＪＰＥＧコーデック３２に与える。ＪＰＥＧコーデック３２は、メモリ制御回路２２を通してＳＤＲＡＭ２４の部分画像エリア２４ｐから部分画像データを読み出し、読み出された部分画像データにＪＰＥＧ圧縮（ＤＣＴ，量子化，エントロピー符号化）を施し、そして圧縮部分画像データをメモリ制御回路２２を通して同じ部分画像エリア２４ｐに書き込む。
【００２５】
図２の例では、主画像データＭＩＭの下端に存在する垂直４８画素×水平４８０画素の部分画像データＰＩＭが、部分画像エリア２４ｐに複写される。複写された部分画像データＰＩＭはＪＰＥＧ圧縮を施され、この結果、圧縮部分画像データＣＰＩＭが部分画像エリア２４ｐに確保される。
【００２６】
ＣＰＵ３０は続いて、時計回路４４から今日の日付を取得し、取得した日付を示すキャラクタデータを主画像データの日付エリアに書き込む。書き込みが完了すると、ＣＰＵ３０は、この主画像データに向けられた圧縮命令をＪＰＥＧコーデック３２に与える。ＪＰＥＧコーデック３２は上述と同様の処理を実行し、この結果、圧縮主画像データが主画像エリア２４ｍに確保される。
【００２７】
図２の例では、日付を示すキャラクタデータ“２００２．１０．１７”が、主画像データＭＩＭの日付エリアＤＴに書き込まれる。日付を有する主画像データＭＩＭはＪＰＥＧ圧縮を施され、この結果、圧縮主画像データＣＭＩＭが主画像エリア２４ｍに確保される。
【００２８】
圧縮部分画像データおよび圧縮主画像データの作成が完了すると、ＣＰＵ３０は、メモリ制御回路２２を通して部分画像エリア２４ｐから圧縮部分画像データを読み出し、日付エリアの基準座標（左上座標）を示す基準座標データを自ら作成し、そして読み出された圧縮部分画像データと作成された基準座標データとを含むタグデータを記録媒体３８に記録する。
【００２９】
ＣＰＵ３０はさらに、メモリ制御回路２２を通して主画像エリア２４ｍから圧縮主画像データを読み出し、読み出された圧縮主画像データを記録媒体３８に記録する。圧縮主画像データはタグデータに続く位置に記録され、これによって画像ファイルが完成する。
【００３０】
図２の例では、タグデータＴＡＧに続いて圧縮主画像データＣＭＩＭが記録され、これによって画像ファイルＦＬが記録媒体３８内に得られる。
【００３１】
なお、記録媒体３８は着脱自在であり、図示しないスロットに装着されたときにＩ／Ｆ３６を通してアクセス可能となる。
【００３２】
キー入力装置４２によって再生モードが選択されると、対応する状態信号がシステムコントローラ４０からＣＰＵ３０に与えられる。ＣＰＵ３０は、ビデオエンコーダ２６に処理命令を与え、記録媒体３８に記録された所望の画像ファイルから圧縮主画像データを読み出す。圧縮主画像データは、Ｉ／Ｆ３６およびメモリ制御回路２２を通してＳＤＲＡＭ２４の主画像エリア２４ｍに書き込まれる。
【００３３】
ＣＰＵ３０は次に、この圧縮主画像データに向けられた伸長命令をＪＰＥＧコーデック３２に与える。ＪＰＥＧコーデック３２は、メモリ制御回路２２を通して主画像エリア２４ｍから圧縮主画像データを読み出し、読み出された圧縮主画像データにＪＰＥＧ伸長（エントロピー復号化，逆量子化，ＩＤＣＴ）を施し、そして伸長主画像データをメモリ制御回路２２を通して主画像エリア２４ｍに書き込む。
【００３４】
ビデオエンコーダ２６は、主画像エリア２４ｍに格納された伸長主画像データをメモリ制御回路２２を通して読み出し、読み出された伸長主画像データに縮小ズームおよびエンコード処理を施し、これによって得られた低解像度のコンポジットビデオ信号をＬＣＤモニタ２８に与える。この結果、再生画像が画面に表示される。
【００３５】
図３に示す画像ファイルＦＬを再生する場合、まず圧縮主画像データＣＭＩＭがＳＤＲＡＭ２４の主画像エリア２４ｍに転送される。転送された圧縮主画像データはＪＰＥＧ伸長を施され、伸長された主画像データＭＩＭは主画像エリア２４ｍを経てビデオエンコーダ２６に与えられる。この結果、日付が右下に書き込まれた主画像がＬＣＤモニタ２８から出力される。
【００３６】
この状態でキー入力装置４２によって日付消去操作が行われると、対応する状態信号がシステムコントローラ４０からＣＰＵ３０に与えられる。ＣＰＵ３０は、圧縮部分画像データおよび基準座標データを所望の画像ファイルから読み出す。圧縮部分画像データは、Ｉ／Ｆ３６およびメモリ制御回路２２を通してＳＤＲＡＭ２４の部分画像エリア２４ｐに書き込まれる。
【００３７】
ＣＰＵ３０は続いて、この圧縮部分画像データに向けられた伸長命令をＪＰＥＧコーデック３２に命令する。伸長命令には、読み出された基準座標データが示す座標値が含まれる。ＪＰＥＧコーデック３２は、メモリ制御回路２２を通して部分画像エリア２４ｐから圧縮部分画像データを読み出し、読み出された圧縮部分画像データにＪＰＥＧ伸長を施し、そして伸長された部分画像データをメモリ制御回路２２を通して主画像エリア２４ｍに書き込む。
【００３８】
伸長された部分画像データの書き込み開始アドレスは、伸長命令に含まれる座標値に基づいて決定される。部分画像データは、主画像データの日付エリアに上書きされる。ビデオエンコーダ２８は上述と同様の処理を繰り返し実行し、この結果、ＬＣＤモニタ２８に表示された主画像から日付が消去される。
【００３９】
なお、ここで記録操作が行われると、日付が消去された主画像データがＪＰＥＧ圧縮を施され、これによって得られた圧縮主画像データを含む画像ファイルが記録媒体３８に記録される。
【００４０】
ＣＰＵ３０は、カメラモードが選択されたとき図４に示すフロー図に従う処理を実行し、再生モードが選択されたとき図５〜図６に示すフロー図に従う処理を実行する。なお、これらのフロー図に対応する制御プログラムは、フラッシュメモリ３４に記憶される。
【００４１】
まず図４を参照して、ステップＳ１ではスルー画像処理を実行する。この結果、スルー画像がＬＣＤモニタ２８に表示される。記録操作が行われると、ステップＳ３でＹＥＳと判断し、ステップＳ５で本露光処理を実行する。具体的には、１回の本露光および１回の全画素読み出しをＴＧ１８に命令する。これによって、高解像度の生画像信号がイメージセンサ１４から出力され、対応する主画像データがＳＤＲＡＭ２４の主画像エリア２４ｍに書き込まれる。
【００４２】
ただし、本露光処理が実行されてから主画像データが主画像エリア２４ｍに書き込まれるまでに、２フレーム期間を要する。このため、ステップＳ７で２フレーム期間にわたって待機する。
【００４３】
２フレーム期間が経過すると、ステップＳ７からステップＳ９に進み、主画像データの日付エリアに属する部分画像データを部分画像エリア２４ｐに複写する。ステップＳ１１では、複写された部分画像データに向けられた圧縮命令をＪＰＥＧコーデック３２に与える。部分画像データはＪＰＥＧコーデック３２によって圧縮され、これによって得られた圧縮部分画像データが部分画像エリア２４ｍに書き込まれる。
【００４４】
ステップＳ１３では、時計回路４４から今日の日付を検出し、検出された日付を表すキャラクタデータを主画像エリア２４ｍに書き込む。キャラクタデータは、主画像データの日付エリアに上書きされる。上書きが完了すると、ステップＳ１５で主画像データの圧縮をＪＰＥＧコーデック３２に命令する。日付が書き込まれた主画像データはＪＰＥＧコーデック３２によって圧縮され、圧縮主画像データは主画像エリア２４ｍに書き込まれる。
【００４５】
ステップＳ１７では、部分画像エリア２４ｐから圧縮部分画像データを読み出し、基準座標データを自ら作成し、そして読み出された圧縮部分画像データと作成された基準座標データとを含むタグデータを記録媒体３８に記録する。ステップＳ１９では、主画像エリア２４ｍから圧縮主画像データを読み出し、読み出された圧縮主画像データをステップＳ１７で記録されたタグデータに続く位置に記録する。これによって、画像ファイルが完成する。ステップＳ１９の処理が完了すると、ステップＳ１に戻る。
【００４６】
図５を参照して、ステップＳ２１ではビデオエンコーダ２６を起動し、ステップＳ２３ではファイル番号Ｎを初期値に設定し、そしてステップＳ２５ではＮ番目の画像ファイルから圧縮主画像データを読み出す。圧縮主画像データは、メモリ制御回路２２を通して主画像エリア２４ｍに書き込まれる。ステップＳ２７では、かかる圧縮主画像データに向けられた伸長命令をＪＰＥＧコーデック３２に与える。圧縮主画像データはＪＰＥＧコーデック３２によって伸長され、伸長された主画像データは主画像エリア２４ｍに書き込まれる。主画像エリア２４ｍに格納された主画像データはビデオエンコーダ２６によって読み出され、この結果、再生画像がＬＣＤモニタ２８に表示される。
【００４７】
ステップＳ２９では、Ｎ番目の画像ファイルのタグデータが部分画像データを含んでいるか否かを判別する。ここでＮＯであれば、画像更新操作の有無をステップＳ３１で判別する。キー入力装置４２によって画像更新操作が行われると、ステップＳ３３でファイル番号Ｎを更新し、ステップＳ２５に戻る。この結果、ＬＣＤモニタ２８に表示される再生画像が更新される。
【００４８】
ステップＳ２９でＹＥＳと判断されると、日付消去操作の有無をステップＳ３５で判断し、画像更新操作の有無をステップＳ３７で判断する。ステップＳ３７でＹＥＳであれば、ステップＳ３９でファイル番号Ｎを更新してからステップＳ２５に戻る。
【００４９】
ステップＳ３５でＹＥＳであれば、ステップＳ４１に進み、圧縮部分画像データおよび基準座標データをＮ番目の画像ファイルから読み出す。圧縮部分画像データは、ＳＤＲＡＭ２４の部分画像エリア２４ｐに書き込まれる。ステップＳ４３では、基準座標データが示す座標値を含む伸長命令をＪＰＥＧコーデック３２に与える。
【００５０】
圧縮部分画像データは、ＪＰＥＧコーデック３２によって伸長される。伸長された部分画像データは、伸長命令に含まれる座標値に従って、主画像エリア２４ｍに格納された主画像データの日付エリアに合成される。合成された主画像データは、ビデオエンコーダ２６によって読み出される。この結果、ＬＣＤモニタ２８に表示された再生画像から日付が消去される。
【００５１】
ステップＳ４５では記録操作の有無を判断し、ステップＳ４７では画像更新操作の有無を判断する。ステップＳ４７でＹＥＳと判断されると、ステップＳ４９でファイル番号Ｎを更新してからステップＳ２５に戻る。
【００５２】
ステップＳ４５でＹＥＳと判断されると、ステップＳ５１〜Ｓ５５で上述のステップＳ１５〜Ｓ１９と同様の処理を実行する。これによって、部分画像データを有しない画像ファイルが記録媒体３８内に作成される。ステップＳ５５の処理が完了すると、ステップＳ２５に戻る。
【００５３】
以上の説明から分かるように、カメラモードでイメージセンサ１４によって捉えられた被写界の主画像データは、ＳＤＲＡＭ２４の主画像エリア２４ｍに確保される。ＣＰＵ３０は、この主画像データの日付エリアに属する部分画像データを抽出し(S9, S11)、日付を表すキャラクタデータを主画像データの日付エリアに書き込み(S13)、そして日付エリアの基準座標値を示す基準座標データを作成する(S17)。記録媒体３８には、部分画像データ，キャラクタ付き主画像データおよび基準座標データを含む画像ファイルが作成される。
【００５４】
再生モードでは、まずキャラクタ付き主画像データがＳＤＲＡＭ２４の主画像エリア２４ｍに読み出され、このキャラクタ付き主画像データに基づく再生画像がＬＣＤモニタ２８に表示される(S25, S27)。ここで日付消去操作が行われると、部分画像データが主画像データの日付エリアに合成される(S41, S43)。この結果、ＬＣＤモニタ２８に表示された再生画像から日付が消去される。
【００５５】
部分画像を抽出することで、画像の総量を抑制できる。また、上書き画像を作成することで、特別な機能を準備することなく上書き画像を再生できる。さらに、部分画像を上書き画像に合成することで、オリジナル画像を復元できる。
【００５６】
なお、この実施例では、部分画像データを主画像エリア２４ｍから部分画像エリア２４ｐに一旦複写し、その後に部分画像データを部分画像エリア２４ｐからＪＰＥＧコーデック３２に与えるようにしている。しかし、複写処理を省略し、部分画像データを主画像エリア２４ｍから直接ＪＰＥＧコーデック３２に与えるようにしてもよい。
【００５７】
また、この実施例では、被写界の全体像に対応する画像データは主画像データのみであるが、これに加えてサムネイル画像データを作成するようにしてもよい。この場合、サムネイル画像データについても、主画像データと同様の日付書き込み処理や日付消去処理が実行される。
【００５８】
さらに、この実施例では、日付エリアの位置を特定するために基準座標データを作成するようにしている。しかし、日付エリアは主画像データの解像度に応じて一義的に決定される。したがって、基準座標データに代えて、主画像データの解像度を示す解像度データを作成し、解像度データに基づいて日付エリアの位置を特定するようにしてもよい。
【図面の簡単な説明】
【００５９】
【図１】この発明の一実施例を示すブロック図である。
【図２】カメラモードにおける図１実施例の動作の一部を示す図解図である。
【図３】再生モードにおける図１実施例の動作の一部を示す図解図である。
【図４】カメラモードにおける図１実施例の動作の一部を示すフロー図である。
【図５】再生モードにおける図１実施例の動作の一部を示すフロー図である。
【図６】再生モードにおける図１実施例の動作の他の一部を示すフロー図である。
【符号の説明】
【００６０】
１０  …  ディジタルカメラ
１４  …  イメージセンサ
２４  …  ＳＤＲＡＭ
２８  …  ＬＣＤモニタ
３０  …  ＣＰＵ
３２  …  ＪＰＥＧコーデック
３４  …  フラッシュメモリ
３８  …  記録媒体
【図１】
2005333186.tif 000003
【図２】
2005333186.tif 000004
【図３】
2005333186.tif 000005
【図４】
2005333186.tif 000006
【図５】
2005333186.tif 000007
【図６】
2005333186.tif 000008